(57)【要約】【課題】携帯端末を用いてＷｅｂサイトへアクセスした履歴を、利用者の利用態様に応じて区域別に表示／記録することができるようにする。【解決手段】本発明の閲覧履歴管理システムは、ネットワーク通信手段を備える携帯端末の閲覧履歴管理システムであり、当該携帯端末の位置情報を特定する位置情報特定手段と、ネットワーク接続のたびに、位置情報特定手段から当該携帯端末の接続時の位置情報を受け取り、それぞれのアクセス先のアクセス先情報を、当該携帯端末の接続時の位置情報に基づく区域毎の区域別閲覧履歴情報として格納する区域別閲覧履歴情報格納手段と、利用者操作により閲覧履歴表示指示を受けると、位置情報特定手段から当該携帯端末の現時点の位置情報を受け取り、当該携帯端末の現時点の位置情報に基づく区域の区域別閲覧履歴情報を表示手段に表示させる区域別閲覧履歴表示制御手段とを備えることを特徴とする。【選択図】      図１
2009253504.tif 000002
【特許請求の範囲】
【請求項１】
ネットワーク通信手段を備える携帯端末が有する閲覧履歴管理システムにおいて、
当該携帯端末の位置情報を特定する位置情報特定手段と、
上記ネットワーク通信手段によるネットワーク接続のたびに、上記位置情報特定手段から当該携帯端末の接続時の位置情報を受け取り、それぞれのアクセス先のアクセス先情報を、当該携帯端末の接続時の位置情報に基づく区域毎の区域別閲覧履歴情報として格納する区域別閲覧履歴情報格納手段と、
利用者操作により閲覧履歴表示指示を受けると、上記位置情報特定手段から当該携帯端末の現時点の位置情報を受け取り、当該携帯端末の現時点の位置情報に基づく区域の区域別閲覧履歴情報を表示手段に表示させる区域別閲覧履歴表示制御手段と
を備えることを特徴とする閲覧履歴管理システム。
【請求項２】
スケジュール日程に場所情報が付されたスケジュール情報に基づき設定日時になると、少なくとも上記スケジュール情報の場所情報を上記区域閲覧履歴表示制御手段に与えるスケジュール管理手段をさらに備え、
上記区域別閲覧履歴表示制御手段が、上記スケジュール情報の場所情報が属す区域の上記区域別閲覧履歴情報を表示手段に表示させるものであることを特徴とする請求項１に記載の閲覧履歴管理システム。
【請求項３】
利用者操作により所望区域の選択を受け付ける区域入力手段を備え、
上記区域別閲覧履歴表示制御手段が、上記区域入力手段からの選択情報に相当する区域の上記区域別閲覧履歴情報を表示手段に表示させるものであることを特徴とする請求項２又は３に記載の閲覧履歴管理システム。
【請求項４】
上記区域別閲覧履歴表示制御手段が、上記区域別閲覧履歴情報を表示する際、上記スケジュール管理手段、上記区域入力手段、又は、上記位置情報特定手段との連携処理に所定の優先順位をつけることを特徴とする請求項３に記載の閲覧履歴管理システム。
【請求項５】
ネットワーク通信手段を備える携帯端末での閲覧履歴管理方法において、
コンピュータを、位置情報特定手段、区域別閲覧履歴情報格納手段、及び、区域別閲覧履歴表示制御手段として機能させるものであり、
上記位置情報特定手段が、当該携帯端末の位置情報を特定する位置情報特定工程と、
上記区域別閲覧履歴情報格納手段が、上記ネットワーク通信手段によるネットワーク接続のたびに、上記位置情報特定手段から当該携帯端末の接続時の位置情報を受け取り、それぞれのアクセス先のアクセス先情報を、当該携帯端末の接続時の位置情報に基づく区域毎の区域別閲覧履歴情報として格納する区域別閲覧履歴情報格納工程と、
上記区域別閲覧履歴表示制御手段が、利用者操作により閲覧履歴表示指示を受けると、上記位置情報特定手段から当該携帯端末の現時点の位置情報を受け取り、当該携帯端末の現時点の位置情報に基づく区域の区域別閲覧履歴情報を表示手段に表示させる区域別閲覧履歴表示制御工程と
を有することを特徴とする閲覧履歴管理方法。
【請求項６】
ネットワーク通信手段を備える携帯端末での閲覧履歴管理プログラムにおいて、
コンピュータを、
当該携帯端末の位置情報を特定する位置情報特定手段、
上記ネットワーク通信手段によるネットワーク接続のたびに、上記位置情報特定手段から当該携帯端末の接続時の位置情報を受け取り、それぞれのアクセス先のアクセス先情報を、当該携帯端末の接続時の位置情報に基づく区域毎の区域別閲覧履歴情報として格納する区域別閲覧履歴情報格納手段、
利用者操作により閲覧履歴表示指示を受けると、上記位置情報特定手段から当該携帯端末の現時点の位置情報を受け取り、当該携帯端末の現時点の位置情報に基づく区域の区域別閲覧履歴情報を表示手段に表示させる区域別閲覧履歴表示制御手段
として機能させる閲覧履歴管理プログラム。
【請求項７】
請求項１〜４のいずれかに記載の閲覧履歴管理システムを有することを特徴とする携帯端末。
【発明の詳細な説明】
【技術分野】
【０００１】
本発明は、閲覧履歴管理システム、方法及びプログラム、並びに携帯端末に関し、例えば、過去に閲覧したＷｅｂサイトの閲覧履歴を管理する閲覧履歴管理システム、方法及びプログラム、並びに携帯端末に適用し得るものである。
【背景技術】
【０００２】
近年、通信機能を備えた携帯電話機や携帯端末等の普及により、いつでもどこでもネットワークを通じてＷｅｂサイトにアクセスすることができる。そして、Ｗｅｂサイトの閲覧について、利用者はより良い操作性を求めているため、これに応えることが求められている。
【０００３】
例えば、携帯電話機や携帯端末などを用いてＷｅｂサイトにアクセスする際には、従来のＷｅｂサイト閲覧方法としては、（１）ＵＲＬの直接入力による方法、（２）過去のＵＲＬ履歴を選択する方法、（３）携帯電話が標準で用意しているサイト選択する方法、（４）リンクサイト等のハイパーリンクによる方法、（５）ある特定のサイトのデータベースが記憶しているそのサイト内の閲覧履歴からの方法等が存在する。
【０００４】
また、特許文献１には、例えば観光地などにおいて、利用者が携帯電話を用いてデータセンターにアクセスし、そのデータセンターの固有の格納エリアに、アクセスしたＷｅｂサイト情報（例えば、アドレス、アクセス時間、サイト情報等）を、写真や地図やコメントなどと一緒に格納する技術が開示されている。
【特許文献１】特開２００３−０４４５５２号公報
【発明の開示】
【発明が解決しようとする課題】
【０００５】
ところで、利用者のＷｅｂサイトへのアクセス行動から見ると、利用者は、利用する地域によってアクセス先が異なるという行動が見受けられる。
【０００６】
例えば、普段はニュースサイトや天気予報サイトなどへアクセスしているが、旅行などに行った場合には、その旅行先の地域情報サイトやグルメ情報サイト等へアクセスしているということがある。また例えば、出張先では、地図情報サイトや交通情報サイトなどへアクセスしているということがある。
【０００７】
このように、利用者のＷｅｂサイトへのアクセス行動から見ると、いつでも同じＷｅｂサイトにアクセスしているわけではなく、その利用地域によって異なるということが伺える。
【０００８】
しかしながら、上述した従来の履歴サイトの閲覧方法は、利用者の利用地域に応じて管理しておらず、利用者の利用態様に応じて履歴サイトを管理することが強く望まれている。
【０００９】
そのため、携帯端末を用いてＷｅｂサイトへアクセスした履歴を、利用者の利用態様に応じて地域別に表示／記録することができる閲覧履歴管理システム、方法及びプログラム、並びに携帯端末が求められている。
【課題を解決するための手段】
【００１０】
かかる課題を解決するために、第１の本発明の閲覧履歴管理システムは、ネットワーク通信手段を備える携帯端末が有する閲覧履歴管理システムにおいて、（１）当該携帯端末の位置情報を特定する位置情報特定手段と、（２）ネットワーク通信手段によるネットワーク接続のたびに、位置情報特定手段から当該携帯端末の接続時の位置情報を受け取り、それぞれのアクセス先のアクセス先情報を、当該携帯端末の接続時の位置情報に基づく区域毎の区域別閲覧履歴情報として格納する区域別閲覧履歴情報格納手段と、（３）利用者操作により閲覧履歴表示指示を受けると、位置情報特定手段から当該携帯端末の現時点の位置情報を受け取り、当該携帯端末の現時点の位置情報に基づく区域の区域別閲覧履歴情報を表示手段に表示させる区域別閲覧履歴表示制御手段とを備えることを特徴とする。
【００１１】
第２の本発明の閲覧履歴管理方法は、ネットワーク通信手段を備える携帯端末での閲覧履歴管理方法において、コンピュータを、位置情報特定手段、区域別閲覧履歴情報格納手段、及び、区域別閲覧履歴表示制御手段として機能させるものであり、（１）位置情報特定手段が、当該携帯端末の位置情報を特定する位置情報特定工程と、（２）区域別閲覧履歴情報格納手段が、ネットワーク通信手段によるネットワーク接続のたびに、位置情報特定手段から当該携帯端末の接続時の位置情報を受け取り、それぞれのアクセス先のアクセス先情報を、当該携帯端末の接続時の位置情報に基づく区域毎の区域別閲覧履歴情報として格納する区域別閲覧履歴情報格納工程と、（３）区域別閲覧履歴表示制御手段が、利用者操作により閲覧履歴表示指示を受けると、位置情報特定手段から当該携帯端末の現時点の位置情報を受け取り、当該携帯端末の現時点の位置情報に基づく区域の区域別閲覧履歴情報を表示手段に表示させる区域別閲覧履歴表示制御工程とを有することを特徴とする。
【００１２】
第３の本発明の閲覧履歴管理プログラムは、ネットワーク通信手段を備える携帯端末での閲覧履歴管理プログラムにおいて、コンピュータを、（１）当該携帯端末の位置情報を特定する位置情報特定手段、（２）ネットワーク通信手段によるネットワーク接続のたびに、位置情報特定手段から当該携帯端末の接続時の位置情報を受け取り、それぞれのアクセス先のアクセス先情報を、当該携帯端末の接続時の位置情報に基づく区域毎の区域別閲覧履歴情報として格納する区域別閲覧履歴情報格納手段、（３）利用者操作により閲覧履歴表示指示を受けると、位置情報特定手段から当該携帯端末の現時点の位置情報を受け取り、当該携帯端末の現時点の位置情報に基づく区域の区域別閲覧履歴情報を表示手段に表示させる区域別閲覧履歴表示制御手段として機能させるものである。
【００１３】
第４の本発明の携帯端末は、第１の本発明の閲覧履歴管理システムを有することを特徴とする。
【発明の効果】
【００１４】
本発明によれば、携帯端末を用いてＷｅｂサイトへアクセスした履歴を、利用者の利用態様に応じて区域別に表示／記録することができる。
【発明を実施するための最良の形態】
【００１５】
（Ａ）第１の実施形態
以下では、本発明の閲覧履歴管理システム、方法及びプログラム、並びに携帯端末の第１の実施形態について図面を参照しながら説明する。
【００１６】
第１の実施形態では、本発明を利用して、利用者が、サイト閲覧を行う又は行なった地域毎に、アクセスサイトの履歴を記録又は表示する地域別サイト閲覧履歴管理システムを実現する場合の実施形態を説明する。
【００１７】
（Ａ−１）第１の実施形態の構成
図１は、第１の実施形態の地域別サイト閲覧履歴管理システム９Ａの全体的な構成を示す全体構成図である。
【００１８】
図１に示す第１の実施形態の地域別サイト閲覧履歴管理システム９Ａは、利用者が、通信機能を備えた同じ携帯電話４を用いてネットワーク１にアクセスする場合であって、その利用する地域が、地域Ａであるときと地域Ｂであるときに、携帯端末４の表示画面部５に表示されるサイト閲覧履歴を示す。
【００１９】
ネットワーク１は、例えばインターネットに代表されるネットワークが該当する。また、図１では、図示しないが、ネットワーク１上には、種々のサービス情報を提供する複数のＷｅｂサイトサーバが存在する。
【００２０】
携帯電話４は、ネットワーク１との接続通信を実現する通信機能を備えるものである。図１では、携帯端末の例として携帯電話４を示すが、通信機能を備えた携帯端末であれば、例えば、ノード型パーソナルコンピュータ、ＰＤＡ端末、ゲーム端末等にも広く適用することができる。また、携帯電話４は、一般的な携帯電話と同様、表示画面部４及び操作部を備える。
【００２１】
図２は、携帯電話４の内部構成を示す内部構成図である。図２に示すように、携帯電話４は、表示画面部４１、位置特定部４２、地域別履歴切り替え部４３、メモリ４４、通信制御部４５を少なくとも有する。
【００２２】
通信制御部４５は、ネットワーク１への接続を制御する通信制御部である。通信制御部４５は、既存の通信制御部を適用することができるので、ここでの詳細な説明は省略する。
【００２３】
位置特定部４２は、携帯電話４の現在の位置や地域を特定するものであり、例えばＧＰＳ（Global  Positioning  System）処理機能部などを適用することができる。なお、第１の実施形態では、ＧＰＳ装置を適用する場合を想定して説明するが、携帯電話４の位置や地域を特定することができれば、例えば携帯電話４の通信制御部４２が接続する基地局の識別情報から位置や地域を特定するようにしてもよい。
【００２４】
また、位置特定部４２としてＧＰＳ処理機能部を適用する場合、ＧＰＳ衛星から受信したＧＰＳ情報（緯度経度情報）に基づいて現在の位置情報を特定してもよいし、また予め用意したＭＡＰ情報を用いて、ＧＰＳ情報に基づく地域情報を特定するようにしてもよい。
【００２５】
すなわち、緯度経度情報のようにポイント（点）に基づく位置情報としてもよいし、又はある程度の範囲を示すエリア情報としてもよい。エリア範囲の大きさについては、システム運用に応じて適宜決定することができるが、例えば、新宿、世田谷区などのように比較的狭い範囲としてもよいし、例えば、東京都、首都圏、関東等のように比較的広い範囲としてもよい。なお、以下では、説明便宜上、位置特定部４２が特定する情報を地域情報（位置情報を含む概念）と表現して説明する。
【００２６】
位置特定部４２は、常時又は定期的に、携帯端末４の地域情報を取得するものである。位置特定部４２は、通信制御部４５によりネットワークに接続する場合、その時点で取得した携帯電話４の地域情報を地域別切り替え部４３に与えるものである。
【００２７】
地域別履歴切り替え部４３は、位置特定部４２からの地域情報に応じて、メモリ４４の格納される格納情報を切り替えるものである。地域別履歴切り替え部４３は、通信制御部４５によりネットワークを通じてＷｅｂサイトにアクセスする場合、その時点の地域情報を位置特定部４２から取得し、アクセス先のアドレス情報（例えばＵＲＬなど）を閲覧履歴情報として地域情報に対応付けてメモリ４４に格納させるものである。
【００２８】
また、地域別履歴切り替え部４３は、利用者操作により閲覧履歴を表示する際、そのときの地域情報を位置特定部４２から取得し、その地域情報に対応した閲覧履歴情報をメモリ４４から呼び出し、表示画面部４１に与えるものである。
【００２９】
メモリ４４は、アクセスしたＷｅｂサイトの閲覧履歴を地域別に格納する記憶手段である。メモリ４４が分別する地域は、位置特定部４２により設定された地域に応じたものである。
【００３０】
表示画面部４１は、利用者操作に必要な情報を表示する画面であり、第１の実施形態では特にメモリ４４に格納される地域別の閲覧履歴情報を表示するものである。
【００３１】
（Ａ−２）第１の実施形態の動作
次に、第１の実施形態の地域別閲覧履歴管理処理の動作について図面を参照しながら説明する。
【００３２】
以下では、利用者が、異なる地域である地域Ａと地域Ｂでネットワーク１に接続した場合のサイト閲覧記録及び履歴表示に関する処理について説明する。
【００３３】
まず、地域Ａにおいて利用者が携帯電話４を用いてネットワーク１への接続を行うものとする。利用者は、所定のネットワーク１への接続処理を行い、通信制御部４５がネットワーク１と接続する。なお、当初のネットワーク１への接続処理は、従来の閲覧方法による処理を適用する。
【００３４】
通信制御部４５が、ネットワーク１を介してアクセス先のＷｅｂサイトにアクセスすると、所望のサイト情報をサイトサーバ（図示しない）から取得し、そのサイト情報を表示画面部４１に表示させる。これにより、利用者の所望サイト情報を表示出力することができる。
【００３５】
このとき、地域別履歴切り替え部４３は、利用者により入力されたＷｅｂサイトのアクセス先情報（例えば、ＵＲＬなど）を取得する。
【００３６】
また、携帯電話４の位置特定部４２は、現時点の地域情報を取得し、その地域情報を地域別切り替え部４３に与える。
【００３７】
そして、地域別履歴切り替え部４３は、利用者により入力されたＷｅｂサイトのアクセス先情報（例えば、ＵＲＬなど）を、位置特定部４２からの地域情報に対応付けて、メモリ４４に格納するようにする。
【００３８】
また、地域Ｂにおいて、利用者が携帯電話４を用いて、ネットワーク１の接続処理を行なった場合も地域Ａの場合と同様の処理により、メモリ４４内の地域Ｂのサイト閲覧履歴情報として格納される。
【００３９】
その後、再度地域Ａにおいて、利用者が、携帯電話４を用いてネットワーク１に接続しようとする場合、利用者は携帯電話４の表示画面部４１を見ながら、過去の閲覧履歴情報を表示させる操作を行う。
【００４０】
このとき、位置特定部４２は、現時点の地域情報を取得し、この地域情報を地域別履歴切り替え部４３に与える。この地域情報は地域Ａを示す情報である。
【００４１】
そして、地域別履歴切り替え部４３は、メモリ４４に格納されている地域Ａのサイト閲覧履歴情報を読み出し、この地域Ａのサイト閲覧履歴情報を表示画面部４１に与えて表示させる。
【００４２】
これにより、地域Ａにおいて過去にアクセスしたサイト閲覧情報を表示させることができるから、利用者はこの表示されたサイト閲覧履歴を選択することでサイト閲覧することができる。
【００４３】
また、利用者が、新たにサイトを閲覧した場合には、地域Ａにおいてアクセスしたサイト閲覧履歴情報としてメモリ４４内に記録される。
【００４４】
また地域Ｂにおいて、利用者が携帯電話４を用いてネットワーク１に接続しようとする場合、利用者は携帯電話４の表示画面部４１を見ながら、過去の閲覧履歴情報を表示させる操作を行う。
【００４５】
このとき、位置特定部４２は、現時点の地域情報を取得し、この地域情報を地域別履歴切り替え部４３に与える。この地域情報は地域Ｂを示す情報である。
【００４６】
そして、地域別履歴切り替え部４３は、メモリ４４に格納されている地域Ｂのサイト閲覧履歴情報を読み出し、この地域Ｂのサイト閲覧履歴情報を表示画面部４１に与えて表示させる。
【００４７】
これにより、地域Ｂにおいて過去にアクセスした使途閲覧情報を表示させることができるから、利用者はこの表示されたサイト閲覧履歴を選択することによりサイト閲覧することができる。
【００４８】
（Ａ−３）第１の実施形態の効果
以上のように、第１の実施形態によれば、位置特定部、地域別履歴切り替え部及びメモリを備えることにより、アクセスしたサイト閲覧履歴情報をネットワーク利用時点の地域情報毎に記録することができ、又その後のネットワーク利用時点の地域情報に基づいて、過去に地域別でアクセスしたサイト閲覧履歴情報を表示することができるので、利用者のサイト閲覧行動に合わせてサイトへの閲覧処理を容易にすることができる。
【００４９】
（Ｂ）第２の実施形態
次に、本発明の閲覧履歴管理システム、方法及びプログラム、並びに携帯端末の第１の実施形態について図面を参照しながら説明する。
【００５０】
第２の実施形態でも、第１の実施形態と同様に、本発明を利用して、利用者がサイト閲覧を行う地域毎又は行なった地域毎に、アクセスサイトの履歴を記録又は表示する地域別サイト閲覧履歴管理システムを実現する場合の実施形態を説明する。
【００５１】
（Ｂ−１）第２の実施形態の構成
図３は、第２の実施形態の地域別サイト閲覧履歴管理システム９Ｂの全体構成を示す全体構成図である。
【００５２】
図３において、第２の実施形態の地域別サイト閲覧履歴管理システム９Ｂは、図１に示す第１の実施形態の地域別サイト閲覧履歴管理システム９Ａと同様に、地域Ａと地域Ｂにおいて、携帯電話４の表示画面部５に表示されるサイト閲覧履歴を示す。
【００５３】
第２の実施形態では、図３に示すように、利用者の現時点の地域とは異なる地域のサイト閲覧履歴情報を表示する場合を示す。
【００５４】
図３では、地域Ａにいる利用者が携帯端末４を用いて、ネットワーク１に接続する際に、地域Ａのサイト閲覧履歴情報６と、地域Ｂのサイト閲覧履歴情報７とを表示する場合を例示する。
【００５５】
図４は、第２の実施形態の携帯電話４の内部構成を示す内部構成図である。図４において、第２の実施形態の携帯電話４は、表示画面部４１、位置特定部４２、メモリ４４、通信関魚部４５、地域別履歴切り替え部５１、地域入力部５２、スケジュール設定部５３を少なくとも有する。
【００５６】
図４において、表示画面部４１、位置特定部４２、メモリ４４及び通信制御部４５は、第１の実施形態で説明した構成要件と同じであるから、同一の符号を付与しており、ここでの詳細な説明は省略する。
【００５７】
地域別履歴切り替え部５１は、第１の実施形態と同様に、位置特定部４２が取得した地域情報に基づいて、地域毎のサイト閲覧履歴情報をメモリ４４に格納したり又はメモリ４４から読み出したりするものである。
【００５８】
また、地域別履歴切り替え部５１は、利用者により選択入力された地域選択情報を地域入力部５２から受け取り、この地域選択情報に応じた地域のサイト閲覧履歴情報をメモリ４４から読み出し、表示画面部４１に表示させるものである。
【００５９】
さらに、地域別履歴切り替え部５１は、利用者に設定されたスケジュール日程に応じた設定情報をスケジュール設定部５３から受け取り、その設定情報に応じた地域のサイト閲覧履歴情報をメモリ４４から読み出し、表示画面部４１に表示させるものである。
【００６０】
なお、地域別履歴切り替え部５１は、スケジュール設定部５３に設定されたスケジュールに応じた地域のサイト閲覧履歴を他の方法による場合よりも優先して表示する。
【００６１】
地域入力部５２は、利用者が表示を希望する地域別サイト閲覧履歴情報６及び７の地域の選択を受け付けるものである。また、地域入力部５２は、利用者により選択された地域選択情報を地域別履歴切り替え部５１に与えるものである。
【００６２】
スケジュール設定部５３は、利用者のスケジュールを設定する機能部である。スケジュール設定部５３は、スケジュールの設定日時になると、利用者により設定された設定情報を地域別履歴切り替え部５１に与えるものである。
【００６３】
例えば、図４では、スケジュール設定部５３に設定される設定情報を例示する。図４では、あるスケジュールとして「日程１」に「地域Ａ」ということが設定されているものとする。この場合、スケジュール設定部５３は、「日程１」に設定されている日時になると、設定されている「地域Ａ」を地域別履歴切り替え部５１に与える。
【００６４】
上記のように、第２の実施形態では、説明便宜上、スケジュール日程にメモリ４４に格納されている「地域」の名称がそのまま記載されているものとする。
【００６５】
（Ｂ−２）第２の実施形態の動作
次に、第２の実施形態のサイト閲覧履歴管理処理の動作について図面を参照しながら説明する。図５は、第２の実施形態のサイト閲覧履歴管理処理の動作を示すフローチャートである。
【００６６】
まず、利用者は、第１の実施形態と同様にして、地域Ａ、地域Ｂにおいてネットワーク１を利用すると、そのアクセス先であるＷｅｂサイトのアクセス先情報（例えば、ＵＲＬなど）がメモリ４４において地域別で格納される。
【００６７】
携帯電話４において、スケジュール設定部５３は、利用者に設定されたスケジュールの設定情報が設定されており、そのスケジュールの設定日時になったか否かを判断する（ステップＳ２）。
【００６８】
そして、スケジュールの設定日時であると判定すると、スケジュール設定部５３は、設定されている地域を設定情報として地域履歴切り替え部５１に与える。これを受けて、地域別履歴切り替え部５１は、設定情報の地域に応じたサイト閲覧履歴情報６又は７をメモリ４４から呼び出し、これを表示画面部４１に表示させる（ステップＳ３）。
【００６９】
一方、スケジュールが設定されていない場合又はスケジュールの設定日時でない場合、地域別履歴切り替え部５１は、地域入力部５２からの地域選択情報の入力の有無を判断する（ステップＳ４）。
【００７０】
すなわち、地域別履歴切り替え部５１は、利用者によりサイト閲覧履歴情報について地域の選択入力がある場合（ステップＳ４）、その地域選択情報を地域入力部５２から受け取り、その地域選択情報に基づくサイト閲覧履歴情報６又は７をメモリ４４から呼び出し、これを表示画面部４１に表示させる（ステップＳ５）。
【００７１】
これに対して、スケジュールが設定されていない場合若しくはスケジュールの設定日時でない場合、そして更に地域選択情報の入力もない場合（ステップＳ６）、地域別履歴切り替え部５１は、位置特定部４２が取得した現時点の地域情報を受け取り、この地域情報に基づくサイト閲覧履歴情報６又は７をメモリ４４から呼び出し、これを表示画面部４１に表示させる（ステップＳ７）。
【００７２】
また、利用者が新たにサイトを閲覧した場合には、第１の実施形態と同様に、位置特定部４２が取得した地域情報に対応付けたアクセス先情報をメモリ４４に記録する（ステップＳ７）。
【００７３】
（Ｂ−３）第２の実施形態の効果
以上のように、第２の実施形態によっても第１の実施形態で説明した効果を奏することができる。
【００７４】
また、第２の実施形態によれば、さらにスケジュール設定部及び地域入力部を備えることにより、利用者の利用地域とは異なる地域のサイト閲覧履歴情報を表示することができる。
【００７５】
さらに、第２の実施形態によれば、スケジュール設定部で設定された地域に応じたサイト閲覧履歴情報を優先的に表示させることができる。スケジュール機能と連動することにより、出張や旅行等の当日に、現地に着くまでに地域閲覧履歴を参照することが可能となり、たまにアクセスする地域特有のサイト等も容易に到達することができる。
【００７６】
（Ｃ）他の実施形態
（Ｃ−１）第１及び第２の実施形態では、地域Ａと地域Ｂの２箇所を例示して示したが、格納する地域の数は、３個以上であってもよい。
【００７７】
（Ｃ−２）また、各地域別のサイト閲覧履歴情報の表示処理の変形例として、アクセス先情報に対して利用者により優先順位を付与するようにしてもよい。これにより、利用者が希望する優先番号順に地域別のアクセス先情報を表示させることができる。
【００７８】
（Ｃ−３）第２の実施形態のスケジュール設定部は、携帯電話４に搭載されるスケジュール機能を想定して説明したが、これ以外のスケジュール機能を利用することもできる。
【００７９】
例えば、ネットワーク上のＷｅｂサイトが提供するスケジュール機能を利用することができる。
【００８０】
この場合、Ｗｅｂサイト上のスケジュール機能を利用して、利用者のスケジュールを登録しておく。この登録するスケジュールは、第２の実施形態と同様に、スケジュール日程に地域を設定する方法を適用できる。その後、携帯電話４によりネットワークに接続した後、Ｗｅｂサイトからスケジュール情報を通信制御部が取得する。そして、そのスケジュール情報が地域別履歴切り替え部に与えられると、地域別履歴切り替え部が、そのスケジュール情報に含まれる地域から、対応する地域別のサイト閲覧履歴情報を呼び出して表示することで実現できる。
【００８１】
（Ｃ−４）第２の実施形態の図５の説明では、スケジュール機能との連携処理、利用者の選択処理、位置特定部の地域情報取得処理の優先順に応じて処理する場合を例示したが、他の順序であってもよい。例えば、スケジュール機能との連携処理、位置特定部の地域情報取得処理、利用者の選択処理の順であってもよい。
【００８２】
（Ｃ−５）スケジュール設定部でのスケジュール設定について、第２の実施形態では、メモリに格納されている地域の名称がそのままスケジュールに記載されている場合を例示した。
【００８３】
しかし、スケジュールに記載されている地域の名称が、メモリに格納されている地域と同一でない場合でも適用することができる。
【００８４】
例えば、メモリでは「東京都中央区」という地域についてサイト閲覧履歴情報が登録されているとする。これに対して、スケジュール設定部には、「×月×日  本社にて打ち合わせ」というスケジュールが設定されているとする。
【００８５】
この場合、地域別履歴切り替え部は、予め対応テーブルを設定しておき、この対応テーブルを利用してスケジュール情報の記載に対応する地域を特定する方法を適用することができる。
【００８６】
例えば対応テーブルに、「本社」が「東京都中央区」と対応するとの情報を設定しておく。そして、地域別履歴切り替え部は、スケジュール情報から「本社」を抽出し対応テーブルを参照して、「本社」に対応する地域が「東京都中央区」であることを求め、地域「東京都中央区」のサイト閲覧履歴情報を表示させることができる。
【図面の簡単な説明】
【００８７】
【図１】第１の実施形態の地域別サイト閲覧履歴管理システムの全体構成図である。
【図２】第１の実施形態の携帯電話の内部構成図である。
【図３】第２の実施形態の地域別サイト閲覧履歴管理システムの全体構成図である。
【図４】第２の実施形態の携帯電話の内部構成図である。
【図５】第２の実施形態の地域別サイト閲覧履歴管理処理の動作を示すフローチャートである。
【符号の説明】
【００８８】
１…ネットワーク、４…携帯電話、５…表示画面部、６及び７…サイト閲覧履歴情報、４１…表示画面部、４２…位置特定部、４３及び５１…地域別履歴切り替え部、４４…メモリ、４５…通信制御部、５２…地域入力部、５３…スケジュール設定部。
【図１】
2009253504.tif 000003
【図２】
2009253504.tif 000004
【図３】
2009253504.tif 000005
【図４】
2009253504.tif 000006
【図５】
2009253504.tif 000007